(57)【要約】【課題】ドラム式（あるいは斜めドラム式）の洗濯機を載置して使用する場合にも床面を傷つけることがなく、また、床面との摩擦抵抗を大きくして、ドラム式洗濯機の振動に充分耐えうる洗濯機置き台を提供すること。【解決手段】矩形状に形成された枠体と、該枠体の四隅の下側面に設けられたキャスターとを備え、前記枠体には洗濯機を載置するための載置部が設けられ、前記キャスターの車輪は、硬質の材料で形成された内輪部と、該内輪部よりも軟質の材料で形成され、内輪部の外周を被覆する外輪部とを備えているようにした。【選択図】  図１
0003167691.tif 000002
【実用新案登録請求の範囲】
【請求項１】
矩形状に形成された枠体と、
該枠体の四隅の下側面に設けられたキャスターとを備え、
前記枠体には洗濯機を載置するための載置部が設けられ、
前記キャスターの車輪は、硬質の材料で形成された内輪部と、
該内輪部よりも軟質の材料で形成され、内輪部の外周を被覆する外輪部とを備えていることを特徴とする洗濯機置き台。
【請求項２】
矩形状の枠体は、その四辺を構成する４本の棒状部材と、該棒状部材同士を接続する接続部材とを備えていることを特徴とする請求項１に記載の洗濯機置き台。
【請求項３】
接続部材は、隣接する棒状部材同士が平面視で直角をなすように接続するものであって、
棒状部材を挿通することが可能な挿通孔を備え、棒状部材の前記挿通孔への挿入長さを調節することにより、枠体の縦横寸法を変えられるようにしたことを特徴とする請求項２に記載の洗濯機置き台。
【請求項４】
接続部材は、平面視略Ｌ字状のコーナー枠と、該コーナー枠の内側に形成され洗濯機の脚部が載置される載置部とを備えていることを特徴とする請求項２又は３に記載の洗濯機置き台。
【請求項５】
載置部は、略三角形状の板状部材により形成されるとともに、コーナー枠の底面に固定されてなることを特徴とする請求項４に記載の洗濯機置き台。
【請求項６】
キャスターは、載置部の底面にとりつけられていることを特徴とする請求項４又は５に記載の洗濯機置き台。
【請求項７】
内輪部を構成する硬質の材料が硬質の樹脂材料であり、外輪部を構成する軟質の材料はゴム材料または軟質の樹脂材料であることを特徴とする請求項１乃至６のいずれかに記載の洗濯機置き台。
【請求項８】
硬質の樹脂材料は、ナイロン樹脂であることを特徴とする請求項７に記載の洗濯機置き台。
【請求項９】
ゴム材料または軟質の樹脂材料は、天然ゴム、ＥＶＡ、熱可塑性エラストマー、ポリウレタン樹脂又は軟質ＰＶＣ樹脂のいずれかであることを特徴とする請求項７に記載の洗濯機置き台。
【請求項１０】
矩形状の枠体のコーナー部にコーナークッション材を設けたことを特徴とする請求項１乃至９のいずれかに記載の洗濯機置き台。
【考案の詳細な説明】
【技術分野】
【０００１】
本考案は、室内に洗濯機を設置する際に、当該洗濯機を載置するための置き台に関するものである。
【背景技術】
【０００２】
言うまでもなく、洗濯機は、当該洗濯機を用いて洗濯する際に使用した水を廃水として排出するものである。したがって、洗濯機は、当該洗濯機に接続された排水ホースを介して、床下に配設された配水管へと廃水が排水されるようにして室内に設置される。そのため、バスルームやキッチン、洗面所などの近傍に、洗濯機用の所謂防水パンの上へ載置されて設置されることが多い。
【０００３】
この点、防水パンの上面には凹部が形成され、更に当該凹部内に配水管へ繋がる排水口が形成されたものが多く、洗濯機の設置予定場所に予め当該防水パンを設置することによって、洗濯機からの漏水による床面等への浸水を防止することができるようになされている。
【０００４】
ところが当該防水パンは、上記凹部などを備えることよって凹凸が多い形態のものであり、また、床面にしっかりと固定されていて容易に移動できるものではないため、掃除の際や漏水点検の際などにおいて非常に不便であった。
【０００５】
そこで、下記特許文献１に記載されているように、矩形状の枠体の四隅にキャスターを設けることによって、洗濯機を置き台に載置したままで容易に移動させることが可能とした洗濯機置き台がある。このような洗濯機置き台を利用すれば、容易に洗濯機の設置場所を変更でき、また掃除・点検をする際に少し洗濯機置き台及び洗濯機の位置をずらすことも容易となる。
【先行技術文献】
【特許文献】
【０００６】
【特許文献１】特開２００４−３４４４２８号公報
【考案の概要】
【考案が解決しようとする課題】
【０００７】
ところで、上述した従来の洗濯機置き台のキャスターの車輪に関しては、硬質のナイロン樹脂で形成されたものが多く、また、軟質のポリウレタン樹脂で形成されたものも一部利用されている。
【０００８】
一方、近年多く利用されている所謂ドラム式（斜めドラム式を含む）の洗濯機は、洗濯時にその上下左右方向（斜めドラム式の場合は、前後方向も）への強い振動を生じる。
【０００９】
この点、従来の所謂タテ型の洗濯機は、洗濯槽の底部に形成された回転羽根が略水平方向へ回転して発生する水流によって洗濯物を攪拌し、洗濯するものであるのに対し、ドラム式洗濯機は、水平方向の軸線（通常洗濯機の正面からみて前後方向に延びる軸線）を回転軸として縦方向に回転するように配されたドラム（洗濯槽）を備え、このドラムが縦方向（垂直方向）に回転することによって洗濯物を水と一緒に持ち上げては叩き落し、所謂「叩き洗い」のようにして洗濯をするものである。また、ドラム式洗濯機の自重は、通常７０〜８０ｋｇ或いはそれ以上もあって、非常に重い。これに洗濯物と水の重さを加えると、洗濯時には洗濯機の重量が１００ｋｇ前後もあることとなる。したがって、ドラム式洗濯機においては、上下左右方向への非常に強い振動を生じることとなるのである。
【００１０】
尚、斜めドラム式洗濯機においては、水平方向の軸線を所定角度垂直方向へ傾けた軸線を回転軸として回転するようにドラムが配されている。このドラムが回転することにより、上記ドラム式洗濯機と同様、叩き洗いをするようにして洗濯をする。したがって、この斜めドラム式の洗濯機においては、上下左右方向のみならず、前後方向へも振動を生じることとなる。
【００１１】
このようなドラム式（あるいは斜めドラム式）の洗濯機に洗濯機置き台を適用する場合、上記のような硬質のナイロンで作成されたキャスターの車輪が使われていると、洗濯機の重さと振動とにより、床面を傷つけてしまうという問題があった。また、通常洗濯機置き台のキャスターは、その設置時にはストッパー機構により車輪の回転が規制されているが、当該車輪が硬質の材料で形成されている場合には、その底部が接地する床面との摩擦抵抗が小さいため、強い振動によって容易に滑って動いてしまう。
【００１２】
一方、ポリウレタン樹脂などの比較的軟質の材料で形成された車輪を備えたキャスターを利用した場合には、確かにその接地面において床面との摩擦抵抗は大きくなるものの、軟質であるため、洗濯機の重量によって変形してしまい、本来のキャスターとしての役割及び置き台としての役割を充分に果たせなくなってしまう。
【００１３】
本考案は、上記のような問題点を克服するためになされたものであり、ドラム式（あるいは斜めドラム式）の洗濯機を載置して使用する場合にも床面を傷つけることがなく、また、床面との摩擦抵抗を大きくして、ドラム式洗濯機の振動に充分耐えうる洗濯機置き台を提供することを目的とする。
【課題を解決するための手段】
【００１４】
上記課題を解決するため、本考案に係る洗濯機置き台は、矩形状に形成された枠体と、該枠体の四隅の下側面に設けられたキャスターとを備え、前記枠体には洗濯機を載置するための載置部が設けられ、前記キャスターの車輪は、硬質の材料で形成された内輪部と、該内輪部よりも軟質の材料で形成され、内輪部の外周を被覆する外輪部とを備えていることを特徴とする。
【００１５】
本考案に係る洗濯機置き台によれば、内輪部が硬質の材料で形成されているので、重いドラム式（あるいは斜めドラム式）洗濯機を載置した場合でも車輪が大きく変形することがなく、充分にキャスターとしてまた洗濯機置き台としての機能を果たし得る。また、外輪部を内輪部よりも軟質の材料で形成しているので、車輪と車輪が接地する床面との摩擦抵抗が大きくなり、これによって車輪が床面に対して容易に滑る心配がなく、また床面を傷つける恐れも少なくなる。
【００１６】
本考案に係る洗濯機置き台において、矩形状の枠体は、その四辺を構成する４本の棒状部材と、該棒状部材同士を接続する接続部材とを備えているようにしてもよい。更に、接続部材は、隣接する棒状部材同士が平面視で直角をなすように接続するものであって、棒状部材を挿通することが可能な挿通孔を備え、棒状部材の前記挿通孔への挿入長さを調節することにより、枠体の縦横寸法を変えられるようにすることもできる。このようにすれば、洗濯機のサイズに応じて枠体の縦横寸法を調節することが可能となる。
【００１７】
また、本考案に係る洗濯機置き台において、接続部材は、平面視略Ｌ字状のコーナー枠と、該コーナー枠の内側に形成され洗濯機の脚部が載置される載置部とを備えているようにすることもできる。更に、載置部は、略三角形状の板状部材により形成されるとともに、コーナー枠の底面に固定されてなるようにしてもよい。このようにすれば、載置部に洗濯機の脚部を載置することにより、容易に洗濯機を設置することができる。
【００１８】
更に、本考案に係る洗濯機置き台において、キャスターは、載置部の底面にとりつけられているようにしてもよい。このようにすれば、洗濯機を載置した際にも枠体には洗濯機の荷重がかからないので、重い洗濯機を載置した場合にも枠体の歪みや破損を生じる心配がない。
【００１９】
また、本考案に係る洗濯機置き台において、内輪部を構成する硬質の材料が硬質の樹脂材料であり、外輪部を構成する軟質の材料はゴム材料または軟質の樹脂材料であるようにすることもできる。このようにすれば、好適にキャスターの車輪を作成することが可能となる。
【００２０】
さらに、本考案に係る洗濯機置き台において、硬質の樹脂材料は、ナイロン樹脂であるようにしてもよい。このようにすれば、内輪部が充分な強度を備えるよう形成されるので、好適なキャスターの作製が可能となる。
【００２１】
また、本考案に係る洗濯機置き台において、ゴム材料または軟質の樹脂材料は、天然ゴム、ＥＶＡ、熱可塑性エラストマー、ポリウレタン樹脂又は軟質ＰＶＣ樹脂のいずれかであるようにすることもできる。このようにすれば、外輪部が床面を傷つけることなく、また充分な摩擦抵抗を有するように、好適に作製される。
【００２２】
さらに、本考案に係る洗濯機置き台において、矩形状の枠体のコーナー部にコーナークッション材を設けるようにしてもよい。このようにすれば、枠体のコーナー部に足をぶつけたりした場合でも、怪我をせずに済む。
【考案の効果】
【００２３】
以上のとおり、本考案に係る洗濯機置き台によれば、内輪部が硬質の材料で形成されているので、重いドラム式（あるいは斜めドラム式）洗濯機を載置した場合でも車輪が大きく変形することがなく、充分にキャスターとしてまた洗濯機置き台としての機能を果たし得る。また、外輪部を内輪部よりも軟質の材料で形成しているので、車輪と車輪が接地する床面との摩擦抵抗が大きくなり、これによって車輪が床面に対して容易に滑る心配がなく、また床面を傷つける恐れも少なくなる。
【図面の簡単な説明】
【００２４】
【図１】本考案に係る洗濯機置き台の一実施形態を示す斜視図である。
【図２】図１の洗濯機置き台に洗濯機を載置した状態を示す使用状態図である。
【図３】本考案に係る洗濯機置き台の一実施形態を示す正面図である。
【図４】図３に示した洗濯機置き台の平面図である。
【図５】本考案に係る洗濯機置き台のコーナー部材にクッション部材を装着した状態を示す（ア）平面図、および（イ）正面図である。
【図６】図５に示したコーナー部材からクッション部材及びキャスターを取り外した状態を示す（ア）平面図および（イ）底面図である。
【図７】図５に示したクッション部材の（ア）正面図、（イ）右側面図、（ウ）平面図および（エ）底面図である。
【図８】本考案に係る洗濯機置き台のキャスターの一実施形態における車輪の回転軸を含む断面を示した図であり、図５（イ）におけるＡ−Ａ線断面図である。
【図９】本考案に係る洗濯機置き台のコーナー部材のコーナー部に装着するコーナークッション材の一実施形態を示す六面図であり、（ア）は平面図、（イ）は左側面図、（ウ）は正面図、（エ）は右側面図、（オ）は背面図、（カ）は底面図である。
【考案を実施するための形態】
【００２５】
以下、本考案を実施するための形態を、図面に基づいて詳細に説明する。
【００２６】
図１は、本考案に係る洗濯機置き台１の一実施形態を示した斜視図であり、図２は、この洗濯機置き台１の上に斜めドラム式の洗濯機Ｗを載置した状態を示した図である。
【００２７】
図１に示したように、洗濯機置き台１は、略矩形状に形成した枠体２の四隅の下側にキャスター３が設けられてなるものである。枠体２は、その４辺を構成する４本の棒状部材２１と、隣接する棒状部材２１同士が略直角をなすように接続する接続部材としての４つのコーナー部材２２とを備えている。
【００２８】
棒状部材２１は、外表面にメッキ加工を施されたスチール材料により形成された四角柱状の中空管である。コーナー部材２２は、略直角に形成したコーナー枠２２１と、コーナー枠の内側かつ下面側に設けられた載置部２２２とを備えている。コーナー枠２２１は、表面に塗装を施されたスチール材料によって形成されたものであり、図５〜６に示すように平面視略Ｌ字型であって、断面が略四角形状（この実施形態においては略正方形状）かつ中空の管状部材により形成されている。
【００２９】
コーナー枠２２１の両端部（開口部）は開口され棒状部材２１の端部を挿通可能な挿通孔２２１Ａが形成されており、当該挿通孔２２１Ａに棒状部材２１の端部が挿入されることによって、コーナー部材２２と棒状部材２１とが接続される。また、コーナー枠２２１の開口部近傍における下面には挿通孔内まで貫通するネジ孔２２１Ｂが形成され、当該ネジ孔２２１Ｂに固定ネジ２３が螺合されている（尚、この実施形態においては、コーナー枠２２１の下面に形成した貫通孔の位置に合わせてナット部材を溶接して固着することによりネジ孔２２１Ｂを形成している）。棒状部材２１を挿通孔２２１Ａに挿入した状態で固定ネジ２３をしっかりと締め付けることによって、固定ネジ２３の先端部が挿入された棒状部材２１の外表面を押圧し、これにより棒状部材２１はコーナー枠２２１に対して固定される。このような構成をとることにより、棒状部材２１と挿通孔２２１Ａとがそれぞれ所定の長さを備えていれば、棒状部材２１を挿通孔２２１Ａに挿入する長さ寸法を調節することにより、枠体２全体の縦横寸法を任意に変更することが可能となる。尚、枠体２の寸法変更を可能とする構成は上述した構成に限られるものではなく、他の公知の構成を採ることも可能であり、棒状部材２１及びコーナー枠２２１の形態も上述のものに限られず、適宜好適な形態のものを選択できる。
【００３０】
また、コーナー枠２２１の内側には、洗濯機Ｗの脚部を載置するための載置部２２２が設けられている。載置部２２２は、同じく塗装を施されたスチール部材により形成された略三角形状の板状部材であって、コーナー枠２２１の下面に溶接により固着されている。尚、この載置部２２２は、この実施形態においては、三角形状の板状部材からなるものであるが、洗濯機を載置可能であればこれと異なる形状であってもよく、またコーナー枠２２１と一体的に形成するなど、別の方法により固着されているものであってもよい。
【００３１】
さらに、この実施形態においては、載置部２２２の上面に、クッション部材２４が配設されている。このクッション部材２４は、この実施形態においてはＥＶＡにより形成された平面視５角形状（略ホームベース形）の板状部材であって、柔軟性を有している。このクッション部材２４の底面には、二股形状に突出すると共に嵌合頭部２４１ａを有する突起部２４１を２つ備えている。この２つの突起部２４１を載置部２２２に形成された２つの嵌合孔２２２Ａに圧入することで、クッション部材２４は載置部２２２に取り付けられ、このクッション部材２４の上に洗濯機Ｗの脚部を載置することで、洗濯機の振動がクッション部材２４により一定程度吸収されるようになされている。
【００３２】
また、コーナー部材２２の下面、この実施形態においては、載置部２２２の底面に、キャスター３が設けられている。このキャスター３は、載置部２２２の底面に取り付けられた脚部３１に２つの車輪３２を平行に配すると共に回転自在に取り付けてなるものであり、当該車輪３２の回転を規制するストッパー機構３３を備えている。図５（イ）及び図６（イ）に示すように、この実施形態においては、載置部２２２の底面にネジ孔が形成されたナット部材２２２Ｂが溶接手段によって固着されている。当該ネジ孔に、キャスター３の脚部３１の上端に設けられた取付金具３１１に形成されたネジ部を螺合することによって、キャスター３は載置部２２２に取り付けられている。尚、キャスタ−３の脚部本体３１２は、取付金具３１１に対して当該取付金具３１１の垂直軸を中心に水平回転自在となされている。
【００３３】
この点、上述のとおり、載置部２２２は略三角形状の板状部材であって、コーナー枠２２１の下面に溶接により固着されており、この載置部２２２の底面にキャスター３が取り付けられている。この載置部２２２の上に洗濯機Ｗを載せるように構成されているので、洗濯機Ｗを載置した際にも、その荷重が直接枠体２の棒状部材２１やコーナー枠２２１にかかることがない。それゆえ、重いドラム式の洗濯機を載置した場合にも枠体２の歪みや破損が生じる恐れがないものとなっている。
【００３４】
キャスター３の車輪３２は、図８の断面図に示すように、脚部３１に対して回動自在に取り付けられた軸芯３２１と、軸芯３２１の一端部に形成された内輪部３２２と、内輪部３２２の外周部に形成された外輪部３２３を備えている。内輪部３２２は硬質のナイロン樹脂によって形成されたものであり、一方、外輪部３２３は軟質のポリウレタン樹脂で形成されたものである。このように内輪部３２２を硬質の材料で構成することで、斜めドラム式（あるいはドラム式）洗濯機のように重い洗濯機を載せた場合でも車輪が大きく変形する恐れがない。しかも外輪部３２３を軟質の材料で構成しているので、車輪３２と当該車輪３２が接地する床面との摩擦抵抗が大きくなって、斜めドラム式洗濯機の洗濯時における上下方向および前後方向への洗濯機の振動によっても車輪３２が床面に対して容易に滑ることがなく、かつ、床面を傷つけることがない。
【００３５】
尚、内輪部３２２を構成する硬質の材料は、この実施形態においてはナイロン樹脂を用いているが、これに限られない。同様に成形可能で、所定の性能を備えた硬質の材料であれば、任意に選択して用いることができる。また、外輪部３２３を構成する軟質の材料についても、この実施形態においては、ポリウレタン樹脂を用いているが、これに限られない。例えば天然ゴム、ＥＶＡ、熱可塑性エラストマー、あるいは軟質ＰＶＣ樹脂などのゴム材料又は軟質の樹脂材料でもよく、それ以外の材料であっても、同様に成形可能であり所定の性能を備えた軟質の材料であれば、任意に選択して用いることが可能である。
【００３６】
また、この実施形態においては、図１に示すように、コーナー部材２２のコーナー部分にコーナークッション材４が取り付けられている。この実施形態におけるコーナークッション材４は、ＥＶＡにより作製され、図９に示す形態を備えている。すなわち、略Ｌ字形状を備えたコーナー枠２２１のコーナー部分の外形に沿う略Ｌ字状の空洞部４Ａを有すると共に、下方に開口した形態であって、上面壁４１と外側側壁４２と内側側壁４３とを備え、更に外側側壁４２の下端部から内側側壁４３方向へ略水平に延びる爪部４４を備えている。このような形態を備えることにより、当該コーナークッション材４をコーナー枠２２１のコーナー部分に対してその上方から嵌着させて取り付け可能としている。このとき、爪部４４がコーナー枠２２１の下面に係合するので、例えば人がコーナークッション材４に接触した場合でも容易にコーナー部材２２から脱落しないようになされている。
【００３７】
以上、本考案に係る洗濯機置き台について、具体的な実施形態を示して説明したが、本考案は、上述の実施形態に限られるものではなく、本考案の趣旨を逸脱しない範囲で様々に形態等を変更することが可能なものである。
【符号の説明】
【００３８】
１    洗濯機置き台
２    枠体
２１  棒状部材
２２  コーナー部材
３    キャスター
３２  車輪
４    コーナークッション材
Ｗ    洗濯機
【図１】
0003167691.tif 000003
【図２】
0003167691.tif 000004
【図３】
0003167691.tif 000005
【図４】
0003167691.tif 000006
【図５】
0003167691.tif 000007
【図６】
0003167691.tif 000008
【図７】
0003167691.tif 000009
【図８】
0003167691.tif 000010
【図９】
0003167691.tif 000011